(57)【特許請求の範囲】
【請求項１】
気圧センサを搭載した第１の無線通信端末から、第１の電磁波情報及び気圧値を収集すると共に、気圧センサを搭載しない第２の無線通信端末から、第２の電磁波情報を収集する管理装置であって、
第１の無線通信端末について、当該気圧値の代表値を、地上レベル（グランドレベル）の基準気圧値とする基準気圧値決定手段と、
第１の無線通信端末から受信した気圧値から、当該基準気圧値をベースとして、当該無線通信端末が存在する滞在階数（フロアレベル）を推定する滞在階数推定手段と、
第１の無線通信端末について、推定された滞在階数を、第１の電磁波情報と紐付けて記憶する滞在階数情報蓄積手段と、
第２の無線通信端末について、第２の電磁波情報をキーとして、前記滞在階数情報蓄積手段を用いて滞在階数を検索する滞在階数検索手段と
を有することを特徴とする管理装置。
【請求項２】
前記電磁波情報は、
当該無線通信端末の通信インタフェースにおける基地局識別子及び／若しくは受信電力、並びに／又は、磁場（地磁気）センサを搭載した無線通信端末における磁場（地磁気）情報であることを特徴とする請求項１に記載の管理装置。
【請求項３】
ＧＰＳ(Global Positioning System)センサを搭載した無線通信端末から、測位可否情報を更に受信し、
前記基準気圧値決定手段は、「測位可」の無線通信端末から受信した気圧値の最大値、平均値又は中央値を当該気圧値の代表値とする
ことを特徴とする請求項１又は２に記載の管理装置。
【請求項４】
ＧＰＳセンサを搭載した無線通信端末から、衛星補足数及び／又はＳＮＲ(Signal-Noise Ratio)を更に受信し、
前記基準気圧値決定手段は、衛星補足数及び／又はＳＮＲが所定閾値以上となる無線通信端末から受信した気圧値の最大値、平均値又は中央値を当該気圧値の代表値とする
ことを特徴とする請求項３に記載の管理装置。
【請求項５】
照度センサを搭載した無線通信端末から、照度値を更に受信し、
前記基準気圧値決定手段は、照度値が所定閾値以上となる無線通信端末から受信した気圧値の最大値、平均値又は中央値を当該気圧値の代表値とする
ことを特徴とする請求項１から４のいずれか１項に記載の管理装置。
【請求項６】
前記無線通信端末から、気圧値の観測日時を更に受信し、
前記基準気圧値決定手段は、所定日時範囲毎に基準気圧値を決定し、
前記滞在階数推定手段は、無線通信端末から受信した気圧値の観測日時を含む所定日時範囲で決定された前記基準気圧値を用いて滞在階数を推定する 
ことを特徴とする請求項１から５のいずれか１項に記載の管理装置。
【請求項７】
前記無線通信端末から、気圧値の観測位置を更に受信し、
前記基準気圧値決定手段は、所定地域範囲毎に基準気圧値を決定し、
前記滞在階数推定手段は、無線通信端末から受信した気圧値の観測位置を含む所定地域範囲で決定された基準気圧値を用いて滞在階数を推定する 
ことを特徴とする請求項１から６のいずれか１項に記載の管理装置。
【請求項８】
気候データベース又は前記無線通信端末から、当該所定地域範囲における気温を予め受信し、
前記滞在階数推定手段は、前記基準気圧値及び前記気温をベースとして、当該無線通信端末が存在する滞在階数を推定する
ことを特徴とする請求項７に記載の管理装置。
【請求項９】
気圧センサを搭載した第１の無線通信端末から、第１の電磁波情報及び気圧値を収集すると共に、気圧センサを搭載しない第２の無線通信端末から、第２の電磁波情報を収集する装置に搭載されたコンピュータを機能させるプログラムであって、
第１の無線通信端末について、当該気圧値の代表値を、地上レベル（グランドレベル）の基準気圧値とする基準気圧値決定手段と、
第１の無線通信端末から受信した気圧値から、当該基準気圧値をベースとして、当該無線通信端末が存在する滞在階数（フロアレベル）を推定する滞在階数推定手段と、
第１の無線通信端末について、推定された滞在階数を、第１の電磁波情報と紐付けて記憶する滞在階数情報蓄積手段と、
第２の無線通信端末について、第２の電磁波情報をキーとして、前記滞在階数情報蓄積手段を用いて滞在階数を検索する滞在階数検索手段と
してコンピュータを機能させることを特徴とするプログラム。
【請求項１０】
気圧センサを搭載した第１の無線通信端末と、
気圧センサを搭載しない第２の無線通信端末と、
第１の無線通信端末から第１の電磁波情報及び滞在階数（フロアレベル）を収集すると共に、第２の無線通信端末から第２の電磁波情報を収集する管理装置と
を有するシステムであって、
第１の無線通信端末は、
前記気圧センサによって計測された気圧値の代表値を、地上レベル（グランドレベル）の基準気圧値とする基準気圧値決定手段と、
現在の気圧値から、当該基準気圧値をベースとして、当該無線通信端末が存在する滞在階数を推定し、当該滞在階数及び第１の電磁波情報を前記管理装置へ送信する滞在階数推定手段とを有し、
前記管理装置は、
第１の無線通信端末から受信した滞在階数を、第１の電磁波情報と紐付けて記憶する滞在階数情報蓄積手段と、
第２の無線通信端末から、第２の電磁波情報をキーとして受信し、前記滞在階数情報蓄積手段を用いて滞在階数を検索し、当該滞在階数を第２の無線通信端末へ返信する滞在階数検索手段と
を有することを特徴とするシステム。
【請求項１１】
気圧センサを搭載した第１の無線通信端末から、第１の電磁波情報及び気圧値を収集すると共に、気圧センサを搭載しない第２の無線通信端末から、第２の電磁波情報を収集する管理装置のフロアレベル推定方法であって、
前記管理装置は、
第１の無線通信端末について、当該気圧値の代表値を、地上レベル（グランドレベル）の基準気圧値とする第１のステップと、
第１の無線通信端末から受信した気圧値から、当該基準気圧値をベースとして、当該無線通信端末が存在する滞在階数（フロアレベル）を推定する第２のステップと、
第１の無線通信端末について、推定された滞在階数を、第１の電磁波情報と紐付けて記憶する第３のステップと、
第２の無線通信端末について、第２の電磁波情報をキーとして、第３のステップによって記憶された滞在階数を検索する第４のステップと
を実行することを特徴とする管理装置のフロアレベル推定方法。
【請求項１２】
気圧センサを搭載した第１の無線通信端末と、気圧センサを搭載しない第２の無線通信端末と、第１の無線通信端末から第１の電磁波情報及びフロアレベルを収集すると共に、第２の無線通信端末から第２の電磁波情報を収集する管理装置とを有するシステムにおけるフロアレベル推定方法であって、
第１の無線通信端末が、観測した気圧値の代表値を、地上レベル（グランドレベル）の基準気圧値とする第１のステップと、
第１の無線通信端末が、気圧値から、当該基準気圧値をベースとして、第１の無線通信端末が存在する滞在階数（フロアレベル）を推定する第２のステップと、
第１の無線通信端末が、推定した滞在階数と第１の電磁波情報とを、前記管理装置へ送信する第３のステップと、
前記管理装置が、第１の無線通信端末から受信した滞在階数と第１の電磁波情報とを紐付けて記録する第４のステップと、
前記管理装置が、第２の無線通信端末から第２の電磁波情報をキーとして受信し、第４のステップによって記録された滞在階数を検索し、当該滞在階数を第２の無線通信端末へ返信する第５のステップと
を有することを特徴とするフロアレベル推定方法。
【発明の詳細な説明】
【技術分野】
【０００１】
本発明は、気圧センサを搭載した無線通信端末を用いて、当該無線通信端末の位置を推定する技術に関する。
【背景技術】
【０００２】
近年、センサの小型化及び高精度化に伴って、携帯電話機やスマートフォンのような無線通信端末に、種々のセンサが内蔵されてきている。特に、ＧＰＳ(Global Positioning System)センサは一般的であって、衛星からの測位電波を受信することによって、その無線通信端末の現在位置を測位することができる。これによって、現在位置を精度高く特定することができ、周辺地域情報を様々な観点から検索することができる。但し、ＧＰＳセンサは、衛星からの測位電波を受信する必要があるために、主に屋外での測位に限られる。
【０００３】
一方で、屋内では、無線ＬＡＮ(Local Area Network)やセルラ通信ネットワークを介して、以下の３つの方式が主に用いられている（例えば非特許文献１、２参照）。
「複数基地局測位方式」：複数の周辺基地局からの通信電波に基づく測位
「ハイブリッド測位方式」：ＧＰＳ測位方式＋複数基地局測位方式
「セルベース測位方式」：接続先基地局の位置を、現在位置とする測位
屋内で測位可能なこれら測位方式によれば、緯度及び経度は推定できるものの、高度までは推定できなかったり、推定できても誤差が大きくなる。
【０００４】
高度を推定するためには、ＧＰＳセンサの他、「気圧センサ」が用いられる。無線通信端末に内蔵された気圧センサを用いて、当該無線通信端末の等高（海抜（シーレベル）からの高さ）を測位することができる（例えば特許文献２、３参照）。この高度は、例えば登山の際における現在位置の等高線の確認に用いることができる。
【０００５】
また、高度が既知である基準用無線センサ端末の気圧値を基準とし、気圧センサを搭載し且つ高度が未知である無線センサ端末の高度を推定する技術もある（例えば特許文献４参照）。この技術によれば、フロアレベルが既知の基準用無線センサ端末を配置して、当該端末の気圧を基準とすることによって、フロアレベルが未知の無線センサ端末のフロアレベルを推定することができる。
【０００６】
更に、気圧センサを搭載した無線通信端末を所持したユーザについて、歩行中の気圧値の変化量から、ユーザの歩行経路における高度差を算出する技術もある（例えば特許文献１参照）。
【先行技術文献】
【特許文献】
【０００７】
【特許文献１】特開２０１３−２５５６０８号公報
【特許文献２】特開２０１３−２３１６３４号公報
【特許文献３】特開２０１３−２１４１９１号公報
【特許文献４】特開２０１３−００２９３３号公報
【非特許文献】
【０００８】
【非特許文献１】服部武、藤岡雅宣編著「ワイヤレス・ブロードバンド教科書−３．５Ｇ／次世代モバイル編−」、インプレスＲ＆Ｄ、２００７年７月２１日、第１版第３冊発行、ｐ．５６〜６１
【非特許文献２】Sirin Tekinay、「Next generation wireless networks」、p.143〜
【発明の概要】
【発明が解決しようとする課題】
【０００９】
高層ビルが建ち並ぶ都会のような場所で現実的に必要となる位置サービスとしては、ユーザが屋内に位置するフロアレベル（階数）が重要となる。気圧センサを用いた場合、前述したように、海抜（シーレベル）に対する絶対高度を推定することはできる。しかしながら、例えば高度１００ｍであっても、海辺に建つ高層ビルの上層階なのか？、又は、山の麓なのか？を推定することは難しい。特に特許文献２及び３によれば、推定できる端末位置の高度は、絶対高度であって、フロアレベルではない。
【００１０】
また、気圧値は、同じ場所であっても、日々刻々と変動する。そのために、気圧値のみから高度を算出しようとすると、天候（例えば晴天の日と台風の日）によって大きく変動する。更に、気象データベースから所定日時の所定場所における気圧値を取得することも可能であるが、無線通信端末の気圧センサに個体差がある場合、同じ場所、同じ時刻であっても観測される気圧値に差が生じるため、誤差が生じる。
【００１１】
更に、特許文献４によれば、基準用無線センサ端末からの無線センサ端末までの距離が大きくなるほど、気圧の変化量が増える。その推定精度を保つためには、数多くの基準用無線センサ端末を遍く配置する必要がある。そのように考えると、日本全国どこでも、無線通信端末の高度を推定することまではできない。
【００１２】
更に、特許文献１によれば、ユーザの歩行経路における高度差は、相対的な差であり、フロアレベルまでも推定することはできない。
【００１３】
そこで、本発明は、気圧センサを搭載した無線通信端末によって観測された気圧値を用いて、当該無線通信端末だけでなく、気圧センサを搭載しない無線通信端末の滞在階数（フロアレベル）も推定する管理装置、プログラム、システム及び方法を提供することを目的とする。
【課題を解決するための手段】
【００１４】
本発明によれば、気圧センサを搭載した第１の無線通信端末から、第１の電磁波情報及び気圧値を収集すると共に、気圧センサを搭載しない第２の無線通信端末から、第２の電磁波情報を収集する管理装置であって、
第１の無線通信端末について、当該気圧値の代表値を、地上レベル（グランドレベル）の基準気圧値とする基準気圧値決定手段と、
第１の無線通信端末から受信した気圧値から、当該基準気圧値をベースとして、当該無線通信端末が存在する滞在階数（フロアレベル）を推定する滞在階数推定手段と、
第１の無線通信端末について、推定された滞在階数を、第１の電磁波情報と紐付けて記憶する滞在階数情報蓄積手段と、
第２の無線通信端末について、第２の電磁波情報をキーとして、滞在階数情報蓄積手段を用いて滞在階数を検索する滞在階数検索手段と
を有することを特徴とする。
【００１５】
本発明の管理装置における他の実施形態によれば、
電磁波情報は、
当該無線通信端末の通信インタフェースにおける基地局識別子及び／若しくは受信電力、並びに／又は、磁場（地磁気）センサを搭載した無線通信端末における磁場（地磁気）情報であることも好ましい。
【００１６】
本発明の管理装置における他の実施形態によれば、
ＧＰＳ(Global Positioning System)センサを搭載した無線通信端末から、測位可否情報を更に受信し、
基準気圧値決定手段は、「測位可」の無線通信端末から受信した気圧値の最大値、平均値又は中央値を当該気圧値の代表値とすることも好ましい。
【００１７】
本発明の管理装置における他の実施形態によれば、
ＧＰＳセンサを搭載した無線通信端末から、衛星捕捉数及び／又はＳＮＲ(Signal-Noise Ratio)を更に受信し、
基準気圧値決定手段は、衛星補足数及び／又はＳＮＲが所定閾値以上となる無線通信端末から受信した気圧値の最大値、平均値又は中央値を当該気圧値の代表値とすることも好ましい。
【００１８】
本発明の管理装置における他の実施形態によれば、
照度センサを搭載した無線通信端末から、照度値を更に受信し、
基準気圧値決定手段は、照度値が所定閾値以上となる無線通信端末から受信した気圧値の最大値、平均値又は中央値を当該気圧値の代表値とすることも好ましい。
【００１９】
本発明の管理装置における他の実施形態によれば、
無線通信端末から、気圧値の観測日時を更に受信し、
基準気圧値決定手段は、所定日時範囲毎に基準気圧値を決定し、
滞在階数推定手段は、無線通信端末から受信した気圧値の観測日時を含む所定日時範囲で決定された基準気圧値を用いて滞在階数を推定することも好ましい。
【００２０】
本発明の管理装置における他の実施形態によれば、
無線通信端末から、気圧値の観測位置を更に受信し、
基準気圧値決定手段は、所定地域範囲毎に基準気圧値を決定し、
滞在階数推定手段は、無線通信端末から受信した気圧値の観測位置を含む所定地域範囲で決定された基準気圧値を用いて滞在階数を推定することも好ましい。
【００２１】
本発明の管理装置における他の実施形態によれば、
気候データベース又は無線通信端末から、当該所定地域範囲における気温を予め受信し、
滞在階数推定手段は、基準気圧値及び気温をベースとして、当該無線通信端末が存在する滞在階数を推定することも好ましい。
【００２２】
本発明によれば、気圧センサを搭載した第１の無線通信端末から、第１の電磁波情報及び気圧値を収集すると共に、気圧センサを搭載しない第２の無線通信端末から、第２の電磁波情報を収集する装置に搭載されたコンピュータを機能させるプログラムであって、
第１の無線通信端末について、当該気圧値の代表値を、地上レベル（グランドレベル）の基準気圧値とする基準気圧値決定手段と、
第１の無線通信端末から受信した気圧値から、当該基準気圧値をベースとして、当該無線通信端末が存在する滞在階数（フロアレベル）を推定する滞在階数推定手段と、
第１の無線通信端末について、推定された滞在階数を、第１の電磁波情報と紐付けて記憶する滞在階数情報蓄積手段と、
第２の無線通信端末について、第２の電磁波情報をキーとして、滞在階数情報蓄積手段を用いて滞在階数を検索する滞在階数検索手段と
してコンピュータを機能させることを特徴とする。
【００２３】
本発明によれば、
気圧センサを搭載した第１の無線通信端末と、
気圧センサを搭載しない第２の無線通信端末と、
第１の無線通信端末から第１の電磁波情報及び滞在階数（フロアレベル）を収集すると共に、第２の無線通信端末から第２の電磁波情報を収集する管理装置と
を有するシステムであって、
第１の無線通信端末は、
前記気圧センサによって計測された気圧値の代表値を、地上レベル（グランドレベル）の基準気圧値とする基準気圧値決定手段と、
現在の気圧値から、当該基準気圧値をベースとして、当該無線通信端末が存在する滞在階数を推定し、当該滞在階数及び第１の電磁波情報を管理装置へ送信する滞在階数推定手段とを有し、
管理装置は、
第１の無線通信端末から受信した滞在階数を、第１の電磁波情報と紐付けて記憶する滞在階数情報蓄積手段と、
第２の無線通信端末から、第２の電磁波情報をキーとして受信し、滞在階数情報蓄積手段を用いて滞在階数を検索し、当該滞在階数を第２の無線通信端末へ返信する滞在階数検索手段と
を有することを特徴とする。
【００２４】
本発明によれば、気圧センサを搭載した第１の無線通信端末から、第１の電磁波情報及び気圧値を収集すると共に、気圧センサを搭載しない第２の無線通信端末から、第２の電磁波情報を収集する管理装置のフロアレベル推定方法であって、
管理装置は、
第１の無線通信端末について、当該気圧値の代表値を、地上レベル（グランドレベル）の基準気圧値とする第１のステップと、
第１の無線通信端末から受信した気圧値から、当該基準気圧値をベースとして、当該無線通信端末が存在する滞在階数（フロアレベル）を推定する第２のステップと、
第１の無線通信端末について、推定された滞在階数を、第１の電磁波情報と紐付けて記憶する第３のステップと、
第２の無線通信端末について、第２の電磁波情報をキーとして、第３のステップによって記憶された滞在階数を検索する第４のステップと
を実行することを特徴とする。
【００２５】
本発明によれば、気圧センサを搭載した第１の無線通信端末と、気圧センサを搭載しない第２の無線通信端末と、第１の無線通信端末から第１の電磁波情報及びフロアレベルを収集すると共に、第２の無線通信端末から第２の電磁波情報を収集する管理装置とを有するシステムにおけるフロアレベル推定方法であって、
第１の無線通信端末が、観測した気圧値の代表値を、地上レベル（グランドレベル）の基準気圧値とする第１のステップと、
第１の無線通信端末が、気圧値から、当該基準気圧値をベースとして、第１の無線通信端末が存在する滞在階数を推定する第２のステップと、
第１の無線通信端末が、推定した滞在階数と第１の電磁波情報とを、前記管理装置へ送信する第３のステップと、
前記管理装置が、第１の無線通信端末から受信した滞在階数と第１の電磁波情報とを紐付けて記録する第４のステップと、
前記管理装置が、第２の無線通信端末から第２の電磁波情報をキーとして受信し、第４のステップによって記録された滞在階数を検索し、当該滞在階数を第２の無線通信端末へ返信する第５のステップと
を有することを特徴とする。
【発明の効果】
【００２６】
本発明の管理装置、プログラム、システム及び方法によれば、気圧センサを搭載した無線通信端末によって観測された気圧値を用いて、当該無線通信端末だけでなく、気圧センサを搭載しない無線通信端末の滞在階数（フロアレベル）も推定することができる。
【図面の簡単な説明】
【００２７】
【図１】気圧値に対するフロアレベルを表す説明図である。
【図２】本発明における管理装置及び無線通信端末の第１の機能構成図である。
【図３】管理装置が、無線通信端末から受信したデータの例を表す説明図である。
【図４】滞在階数情報蓄積部によって記憶された滞在階数と電磁波情報との対応付けを表す説明図である。
【図５】本発明における管理装置及び無線通信端末の第２の機能構成図である。
【発明を実施するための形態】
【００２８】
以下では、本発明の実施の形態について、図面を用いて詳細に説明する。
【００２９】
図１は、気圧値に対するフロアレベルを表す説明図である。
【００３０】
図１によれば、無線通信端末を所持したユーザが、屋外や、ビルの各フロアに位置している。ここで、無線通信端末の一部には、気圧センサが搭載されている。また、スマートフォンのような無線通信端末によれば、ＧＰＳセンサや地磁気センサ、照度センサ、気温センサも一般的に搭載されてきている。但し、ＧＰＳセンサについて、無線通信端末がビルや地下街のような屋内に位置する場合、携帯電話網の基地局とは通信可能であるが、ＧＰＳ衛星からの測位電波を受信することはできない。
【００３１】
無線通信端末に搭載された気圧センサは、例えば所定単位時間毎に、その高度に応じた気圧値を電力値として出力する。高度が低いほど、気圧値は高く、逆に、高度が高いほど、気圧値は低い。そのために、同一ビル内にあっても、そのユーザが位置するフロアレベル（階数）によっては、気圧センサによって観測される気圧値は異なる。ビルの１階や屋外の地上で観測される気圧値は高く、ビルの高層階で観測させる気圧値は低い。
【００３２】
図２は、本発明における管理装置及び無線通信端末の第１の機能構成図である。
【００３３】
＜管理装置１＞ 
管理装置１は、気圧センサを搭載した第１の無線通信端末から、当該第１の無線通信端末の第１の電磁波情報及び気圧値を収集すると共に、気圧センサを搭載しない第２の無線通信端末から、当該第２の無線通信端末の第２の電磁波情報を収集する。図２によれば、管理装置１は、通信インタフェース１０と、基準気圧値決定部１１と、滞在階数推定部１２と、滞在階数情報蓄積部１３と、滞在階数検索部１４と、基準気圧値送信部１５とを有する。これら機能構成部は、装置に搭載されたコンピュータを機能させるプログラムを実行することによって実現される。
【００３４】
［通信インタフェース１０］ 
通信インタフェース１０は、ネットワークを介して、無線通信端末２から「電磁波情報」を受信する。
【００３５】
図３は、管理装置が、無線通信端末から受信したデータの例を表す説明図である。ここでは、１レコードが１データを表す。
【００３６】
電磁波情報には、例えば以下のものがある。
・磁場（地磁気）情報（例えば全磁力、偏角、伏角） 
・携帯電話通信システムにおける接続先基地局及び／又は周辺基地局の識別子と
それら基地局からの受信電力 
・無線ＬＡＮシステムにおける接続先基地局（アクセスポイント）及び／又は
周辺基地局の識別子と、それら基地局からの受信電力 
【００３７】
また、通信インタフェース１０は、気圧センサを搭載した無線通信端末２から、気圧値を更に受信する。また、無線通信端末２から、例えば以下のような情報を受信するものであってもよい。
・気圧センサを搭載した無線通信端末からの気圧値の観測日時、観測位置
・ＧＰＳセンサを搭載した無線通信端末からの測位可否情報
＝捕捉衛星数、測位電波品質（例えばＳＮＲ）
・照度センサを搭載した無線通信端末からの照度値 
【００３８】
尚、通信インタフェース１０は、無線通信端末２から逐次にデータを受信することなく、多数のデータを予め収集した別のサーバから、所定のデータを受信するものであってもよい。
【００３９】
［基準気圧値決定部１１］ 
基準気圧値決定部１１は、気圧センサを搭載した第１の無線通信端末について、当該気圧値の代表値を、地上レベル（グランドレベル）の「基準気圧値」とする。気圧値の代表値は、気圧センサを搭載した無線通信端末２毎に、収集した気圧値の最大値、平均値又は中央値とする。
【００４０】
また、気圧センサを搭載した無線通信端末２から「測位可否情報」を受信した場合、「測位可」の気圧値のみを対象に、それら気圧値の最大値、平均値又は中央値を、代表値として算出するものであってもよい。代表値を算出する理由として、当該無線通信端末にとっての地上レベルの気圧値（基準気圧値）を検出することにある。即ち、ＧＰＳセンサによって「測位可」であるということは、屋外に位置する可能性が高い。勿論、ビルの高層階の窓際でＧＰＳ「測位可」となる場合もあるかもしれない。しかしながら、ビルの高層階の窓際における気圧値は、当該ビルの周囲の地上レベルの気圧値よりも低い。よって、例えば収集した気圧値の最大値を代表値とすることで、地上レベルの気圧値（基準気圧値）を得ることができる。
【００４１】
尚、他の実施形態として、気圧センサを搭載した無線通信端末２から受信した測位可否情報「測位可」に加えて、衛星補足数及び／又はＳＮＲも受信することも好ましい。この場合、基準気圧値決定部１１は、衛星補足数及び／又はＳＮＲが所定閾値以上となる気圧値のみを対象に、それら気圧値の最大値、平均値又は中央値を、代表値として算出することができる。即ち、衛星補足数が多く、及び／又は、ＳＮＲが高い場合、当該無線通信端末２は確実に屋外に位置しているであろうと推測することができる。
衛星補足数＞ｘ個  ＆  最大ＳＮＲ＞ｙdB
ｘ、ｙ：所定閾値 
ここでは、屋外にいるであろう無線通信端末における気圧値から、グラウンドレベルの気圧値を検出する。
【００４２】
更に、他の実施形態として、気圧センサを搭載した無線通信端末２から「照度値」を受信することも好ましい。この場合、基準気圧値決定部１１は、照度値が所定閾値以上となる気圧値のみを対象に、それら気圧値の最大値、平均値又は中央値を、代表値として算出することができる。即ち、日中に限られるものの、例えば照度が10,000ルクス以上であれば、屋外に位置している可能性が非常に高いと推測することができる。
照度値＞ｚルクス 
ｚ：所定閾値 
図３のデータ１によれば、無線通信端末識別子"123456789"の基準気圧値を導出することができる。つまり、この例によれば、無線通信端末識別子"123456789"の基準気圧値は、1011.1hPaとなる。
【００４３】
更に、気圧センサを搭載した無線通信端末２から「気圧値の観測日時」を受信することも好ましい。この場合、基準気圧値決定部１１は、所定日時範囲毎に基準気圧値を決定することができる。日時範囲は、例えば１時間毎、である。
【００４４】
更に、気圧センサを搭載した無線通信端末２から「気圧値の観測位置情報」を受信することも好ましい。基準気圧値決定部１１は、所定地域範囲毎に基準気圧を決定することができる。地域範囲は、例えば1/10地域メッシュ（約100m四方）である。
【００４５】
基準気圧値は、その所定無線通信端末及び所定地域範囲及び所定時間範囲の組毎における、地上レベルの気圧値を意味する。このように、基準気圧値決定部１１は、所定無線通信端末及び所定地域範囲及び所定時間範囲の組毎に、時々刻々と基準気圧値を、滞在階数推定部１２へ出力する。
【００４６】
［滞在階数推定部１２］
滞在階数推定部１２は、気圧センサを搭載した第１の無線通信端末から受信した気圧値から、当該基準気圧値をベースとして、当該無線通信端末が存在する滞在階数（フロアレベル）を推定する。フロアレベルを、地上からの高度ｈ（ｍ：メートル）として算出する場合、例えば以下の式を用いる。
ｈ＝（（(Ｐb／Ｐ)(1/5.257)−１）×（Temp＋273.15））／0.0065
Ｐb：基準気圧値
Temp：気温 
フロアレベル＝ｈ／階高
階高：例えば４ｍ
【００４７】
気温は、ネットワークに接続された外部の気候データベース３、又は、気温センサを搭載した無線通信端末から、当該所定地域範囲及び日時範囲における気温を、リアルタイムに予め取得しておくものであってもよい。気温センサを搭載した無線通信端末としては、前述した気圧センサを搭載した第１の無線通信端末２又は気圧センサを搭載しない第２の無線通信端末２に限られず、その他の別途の無線通信端末であってもよい。管理装置１が、気温を取得できない場合、季節に応じて予め設定した所定気温（例えば５月であれば１５度）を用いてもよい。
【００４８】
図３のデータ３によれば、滞在階数を推定する際、上述のように1011.1hPaと設定された、同じ端末識別子の基準気圧値を用いる。図３では、温度も18度と取得できている。これらを用いて、以下のように算出される。
ｈ＝５５．８３５ｍ 
フロアレベル＝ｈ／４＝１３．９５９≒１４階 
このように、滞在階数推定部１２は、基準気圧値及び気温をベースとして、当該無線通信端末が存在する滞在階数を推定する。
【００４９】
気圧センサを搭載した無線通信端末２から「気圧値の観測日時」を受信した場合、滞在階数推定部１２は、対象とする気圧値が観測された日時より、所定範囲内の日時範囲で算出された基準気圧値のみを用いることができる。例えば、気圧値観測日時の３時間以内にその日時範囲を持つ基準気圧があれば、滞在階数を推定する。
【００５０】
また、気圧センサを搭載した無線通信端末２から「気圧値の観測位置情報」を受信した場合、滞在階数推定部１２は、対象とする気圧値が観測された位置より、所定範囲内の地域範囲で算出された基準気圧値のみを用いることができる。例えば、気圧値観測位置から500m以内にその地域範囲を持つ基準気圧があれば、滞在階数を推定する。
【００５１】
［滞在階数情報蓄積部１３］ 
滞在階数情報蓄積部１３は、気圧センサを搭載した第１の無線通信端末について、推定された滞在階数を、第１の電磁波情報と紐付けて記憶する。
【００５２】
図４は、滞在階数情報蓄積部によって記憶された滞在階数と電磁波情報との対応付けを表す説明図である。
【００５３】
同一の電磁波情報に対して複数のフロアレベルが得られる場合は、最新のフロアレベルのみを採用してもよいし、指数平滑移動平均等で処理をしてもよい。
【００５４】
［滞在階数検索部１４］
滞在階数検索部１４は、気圧センサを搭載していない第２の無線通信端末について、第２の電磁波情報をキーとして、滞在階数情報蓄積手段を用いて滞在階数を検索する。
例えば図３のデータ２によれば、無線通信端末識別子"234567890"は、気圧センサを搭載していないために、気圧値は空となっている。
このとき、無線通信端末識別子"234567890"のフロアレベルを推定すべく、データ２の電磁波情報、例えば「全磁力、偏角、伏角」を用いて、滞在階数情報蓄積部１３を検索し、フロアレベル13.959≒14階を得る。
滞在階数検索部１４は、推定したフロアレベルを、アプリケーションへ出力する。アプリケーションは、当該無線通信端末が位置するフロアレベルに応じたサービスを提供することができる。
【００５５】
［基準気圧値送信部１５］ 
基準気圧値送信部１５は、当該無線通信端末の位置する所定地域範囲における基準気圧値を、当該無線通信端末２へ送信する。これは、無線通信端末２側で、当該無線通信端末の滞在階数を推定する場合に用いられる。
【００５６】
＜無線通信端末２＞ 
図２によれば、無線通信端末２は、通信インタフェース２００と、気圧センサ２０１と、ＧＰＳセンサ２０２と、気温センサ２０３と、地磁気センサ２０４と、照度センサ２０５とを有する。また、気圧センサを搭載する無線通信端末２は、データ送信部２１と、基準気圧値受信部２２と、滞在階数推定部２３とを更に有する。これら機能構成部は、無線通信端末に搭載されたコンピュータを機能させるプログラムを実行することによって実現される。
【００５７】
データ送信部２１は、気圧センサ２０１、ＧＰＳセンサ２０２、気温センサ２０３、地磁気センサ２０４及び照度センサ２０５によって観測された環境データを、管理装置１へ送信する。その環境データには、当該無線通信端末２自身の位置情報も含む。この位置情報は、当該無線通信端末２の地域範囲を特定できればよく、ＧＰＳの緯度経度に限られず、複数基地局測位情報等であってもよいし、接続先基地局及び／又は周辺基地局の識別子を位置情報としてもよい。
【００５８】
基準気圧値受信部２２は、オプション的なものであって、当該無線通信端末２の位置における地上レベルの基準気圧値を受信する。受信した基準気圧値は、滞在階数推定部２３へ出力される。
【００５９】
滞在階数推定部２３は、自らの観測した気圧値から、基準気圧値をベースとしたフロアレベルを推定する（管理装置１の滞在階数推定部１２と同様）。推定されたフロアレベルは、アプリケーションへ出力される。アプリケーションは、当該無線通信端末が位置するフロアレベルに応じたサービスを提供することができる。
【００６０】
尚、図２によれば、本発明は、気圧センサを搭載した第１の無線通信端末と、気圧値を収集する管理装置と、気圧センサを搭載していない第２の無線通信端末とを有するシステムとして理解することができる。また、本発明は、図２における無線通信端末と管理装置との間の通信によって、以下のような基準気圧値決定方法としても理解できる。
（Ｓ１）第１の無線通信端末が、当該気圧センサによって観測した気圧値及び第１の電磁波情報を、管理装置１へ送信する。管理装置１は、第１の無線通信端末について、当該気圧値の代表値を、地上レベル（グランドレベル）の基準気圧値とする。
（Ｓ２）管理装置は、第１の無線通信端末から受信した気圧値から、当該基準気圧値をベースとして、当該無線通信端末が存在する滞在階数（フロアレベル）を推定する。
（Ｓ３）管理装置は、第１の無線通信端末について、推定された滞在階数を、第１の電磁波情報と紐付けて滞在階数情報蓄積部に記憶する。
（Ｓ４）自らのフロアを推定したい第２の無線通信端末又は他の装置は、第２の電磁波情報をキーとして、管理装置へ送信する。管理装置は、滞在階数情報蓄積部を用いて滞在階数を検索する。検索された滞在階数は、そのキーの送信元へ返信される。
【００６１】
図５は、本発明における管理装置及び無線通信端末の第２の機能構成図である。
【００６２】
図５によれば、管理装置１の基準気圧値決定部１１及び滞在階数推定部１２の機能を、気圧センサを搭載した第１の無線通信端末２側に移行させたものである。この場合、無線通信端末の通信インタフェース２００からは、推定されたフロアレベルと、その関連する電磁波情報が、管理装置１へ向かって送信されることとなる。管理装置１は、当該情報の組を、滞在階数情報蓄積部１３に蓄積する。
【００６３】
図５における無線通信端末２と管理装置１との間の通信によって、以下のような滞在フロア決定方法としても理解できる。
（Ｓ１）第１の無線通信端末が、当該気圧センサによって観測した気圧値の代表値を、地上レベル（グランドレベル）の基準気圧値とする。
（Ｓ２）第１の無線通信端末は、現在の気圧値から、当該基準気圧値をベースとして、当該第１の無線通信端末が存在する滞在階数（フロアレベル）を推定する。
（Ｓ３）第１の無線通信端末は、推定された滞在階数と、当該第１の無線通信端末の第１の電磁波情報と紐付けて、管理装置へ送信する。管理装置は、受信した滞在階数及び第１の電磁波情報を対応付けて記憶する。
（Ｓ４）第２の無線通信端末は、第２の電磁波情報をキーとして、管理装置へ送信する。管理装置は、滞在階数情報蓄積部を用いて滞在階数を検索する。検索された滞在階数は、第２の無線通信端末へ返信される。
【００６４】
以上、詳細に説明したように、本発明の管理装置、プログラム、システム及び方法によれば、気圧センサを搭載した無線通信端末によって観測された気圧値を用いて、当該無線通信端末だけでなく、気圧センサを搭載しない無線通信端末の滞在階数（フロアレベル）も推定することができる。本発明によれば、多くの専用装置を各地に配置することなく、ユーザ位置のフロアレベルを推定することができる。これによって、ビル内のフロアレベルに応じた位置サービスを提供することができる。
【００６５】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６６】
１  管理装置
１０  通信インタフェース
１１  基準気圧値決定部
１２  滞在階数推定部
１３  滞在階数情報蓄積部
１４  滞在階数検索部
１５  基準気圧値送信部
２  無線通信端末
２００  通信インタフェース
２０１  気圧センサ
２０２  ＧＰＳセンサ
２０３  気温センサ
２０４  地磁気センサ
２０５  照度センサ
２１  データ送信部
２２  基準気圧値受信部
２３  滞在階数推定部
３  気候データベース
【図１】
0006293001.tif 000002
【図２】
0006293001.tif 000003
【図３】
0006293001.tif 000004
【図４】
0006293001.tif 000005
【図５】
0006293001.tif 000006